(57)【要約】【課題】  各床暖房ユニットの放熱特性の違いや、配管長の違いなどに起因するホットダッシュ運転のバラツキを小さくする。【解決手段】  熱源機１１には、放熱特性の低い床暖房ユニット１２と放熱特性の高い床暖房ユニット１３が接続されている。この床暖房システムにおいては、運転開始時に開閉弁２４、２５を閉じ、流量制御弁２２、２３を全開にして床暖房ユニット１２、床暖房ユニット１３に高温（例えば、８０℃）の暖房温水を供給してホットダッシュ運転を行なう。このホットダッシュ運転の時間は、放熱特性の低い床暖房ユニット１２に対しては、長い時間Ｔｈ２に設定し、放熱特性の高い床暖房ユニット１３に対しては、短い時間Ｔｈ１に設定する。【選択図】      図２
2006017408.tif 000002
【特許請求の範囲】
【請求項１】
熱源機に複数の床暖房装置を接続され、暖房運転開始時には各床暖房装置に通常運転時よりも高温の熱媒を循環させてホットダッシュ運転を行なう床暖房システムにおいて、
各床暖房装置の放熱特性に応じて各床暖房装置のホットダッシュ運転時間が決定され、
各床暖房装置がホットダッシュ運転を開始した後、ホットダッシュ運転時間が経過した床暖房装置のホットダッシュ運転を順次終了させる制御手段を有する床暖房システム。
【請求項２】
熱源機に複数の床暖房装置を接続され、暖房運転開始時には各床暖房装置に通常運転時よりも高温の熱媒を循環させてホットダッシュ運転を行なう床暖房システムにおいて、
各床暖房装置の温度を検知する温度検知手段と、
前記温度検知手段の検知温度に基づいて各床暖房装置の温度上昇速度を求め、各床暖房装置の温度上昇速度に応じて各床暖房装置のホットダッシュ運転時間を決定する手段と、
各床暖房装置がホットダッシュ運転を開始した後、ホットダッシュ運転時間が経過した床暖房装置のホットダッシュ運転を順次終了させる制御手段と、
を備えた床暖房システム。
【請求項３】
熱源機に複数の床暖房装置を接続され、暖房運転開始時には各床暖房装置に通常運転時よりも高温の熱媒を循環させてホットダッシュ運転を行なう床暖房システムにおいて、
各床暖房装置への熱媒流入温度を検知する温度検知手段と、
前記温度検知手段の検知温度が一定温度を超えたときに各床暖房装置のホットダッシュ運転時間の計測を開始し、所定のホットダッシュ運転時間が経過した床暖房装置のホットダッシュ運転を順次終了させる制御手段と、
を備えた床暖房システム。
【請求項４】
熱源機に複数の床暖房装置を接続され、暖房運転開始時には各床暖房装置に通常運転時よりも高温の熱媒を循環させてホットダッシュ運転を行なう床暖房システムにおいて、
各床暖房装置への熱媒流入温度を検知する温度検知手段と、
前記温度検知手段の検知温度に基づいて各床暖房装置の熱媒流入温度の温度上昇速度を求める手段と、
前記床暖房装置の熱媒流入温度の温度上昇速度が一定値を超えたときに各床暖房装置のホットダッシュ運転時間の計測を開始し、所定のホットダッシュ運転時間が経過した床暖房装置のホットダッシュ運転を順次終了させる制御手段と、
を備えた床暖房システム。
【請求項５】
熱源機に複数の床暖房装置を接続され、暖房運転開始時には各床暖房装置に通常運転時よりも高温の熱媒を循環させてホットダッシュ運転を行なう床暖房システムにおいて、
各床暖房装置の温度を検知する温度検知手段と、
各床暖房装置がホットダッシュ運転を開始した後、前記温度検知手段の検知温度が一定温度を超えた床暖房装置のホットダッシュ運転を順次終了させる制御手段と、
を備えた床暖房システム。
【請求項６】
熱源機に複数の床暖房装置を接続され、暖房運転開始時には各床暖房装置に通常運転時よりも高温の熱媒を循環させてホットダッシュ運転を行なう床暖房システムにおいて、
各床暖房装置の温度を検知する温度検知手段と、
前記温度検知手段の検知温度に基づいて各床暖房装置の温度上昇速度を求める手段と、
各床暖房装置がホットダッシュ運転を開始した後、前記床暖房装置の温度上昇速度が一定値を超えた床暖房装置のホットダッシュ運転を順次終了させる制御手段と、
を備えた床暖房システム。
【発明の詳細な説明】
【技術分野】
【０００１】
本発明は、床暖房装置に熱媒を循環させて放熱により室内の暖房を行なう床暖房システムに関し、特に、暖房開始時にホットダッシュ運転を行なう機能を備えた床暖房システムに関する。
【背景技術】
【０００２】
（第１の例）
床暖房システムは、床暖房パネルや床暖房マット等の床暖房ユニット（床暖房装置）に暖房温水を循環させて床暖房ユニットを温め、床暖房ユニットからの放熱によって室内を間接的に暖房するものであるため、暖房開始時には室内が設定温度に達するまでに時間が掛かる。
【０００３】
そのため、従来の床暖房システムは、その暖房運転開始時には、一定時間（例えば、３０分〜６０分程度）の間、通常の暖房運転時に循環供給する暖房温水の温度よりも高温の暖房温水を循環させている。これを床暖房システムにおけるホットダッシュ運転といい、床暖房ユニットの床表面温度がその設定温度まで上昇するのに要する時間を短縮することができる。
【０００４】
一方、複数の床暖房ユニットを並列に繋いで各床暖房ユニットに暖房温水を循環させる構成とする場合、異なる放熱特性の床暖房ユニットを組み合わせて床暖房システムを構成することがある。ここで、床暖房ユニットの放熱特性とは、床暖房ユニットの暖房効率を表わすものである。例えば、温度が６０℃の暖房温水を連続供給したときに床表面温度が３０℃になる床暖房ユニットと、温度が５０℃の暖房温水を連続供給したときに床表面温度が３０℃になる床暖房ユニットとは、異なる放熱特性を有する床暖房ユニットである。
【０００５】
しかし、放熱特性の異なる床暖房ユニットを組み合わせた床暖房システムにおいて、暖房運転初期に、各床暖房ユニットの流量を最大にして各床暖房ユニットに通常よりも高温の暖房温水を循環させ、一定時間のホットダッシュ運転を行なわせるようにした場合には、放熱特性の高い床暖房ユニットと放熱特性の低い床暖房ユニットとでは、その床表面温度の変化は図１のようになる。図１において、横軸は床暖房運転開始時からの経過時間Ｔ、縦軸は床表面温度Ｇであって、Ｔｈはホットダッシュ運転の時間、曲線Ｃ１は放熱特性が高い床暖房ユニットの床表面温度の変化を示し、曲線Ｃ２は放熱特性が低い床暖房ユニットの床表面温度の変化を示している。
【０００６】
図１に示されているように、放熱特性の高い床暖房ユニット（例えば、温度が５０℃の暖房温水を連続供給したときに床表面温度が３０℃になるもの）と放熱特性の低い床暖房ユニット（例えば、温度が６０℃の暖房温水を連続供給したときに床表面温度が３０℃になるもの）とでは、ホットダッシュ運転中における床表面温度の温度上昇速度が等しくない。しかし、従来にあっては、ホットダッシュ運転時間は、どの床暖房ユニットについても一定であったので、ホットダッシュ運転中及びその終了後において、放熱特性の高い床暖房ユニットの床表面温度が高くなり過ぎたり、放熱特性の低い床暖房ユニットの床表面温度が低過ぎたりする。
【０００７】
このため、従来の床暖房システムにおいては、ホットダッシュ運転時における床表面温度のばらつきが大きく、床暖房システムの快適性が損なわれる恐れがあった。特に、放熱特性の高い床暖房ユニットでは、床表面温度が高くなり過ぎるので、床の上にいる人に不快感を与えることがあった。
【０００８】
（第２の例）
また、床暖房ユニットは熱源機との間を配管でつながれているが、床暖房システムが運転停止している間に配管内の暖房温水は放熱により冷水となっており、配管の全長にわたって冷水が溜まっている。このため、床暖房システムのホットダッシュ運転を開始しても、配管内の冷水が床暖房ユニットを通過して高温の暖房温水が床暖房ユニットに達するまでは、実質的にはホットダッシュ運転が開始しない。
【０００９】
また、複数の床暖房ユニットが接続されている場合、各床暖房ユニットにつながっている配管の長さは互いに異なっているのが普通であるから、熱源機と床暖房ユニットとの間に溜まっている冷水の量も床暖房ユニット毎に異なっている。
【００１０】
従って、暖房運転開始から一定時間の間ホットダッシュ運転を行なっても、各床暖房ユニットにつながっている配管の長さの違いに起因して、各床暖房ユニットの実際のホットダッシュ運転時間がばらつき、ホットダッシュ運転後の床表面温度もばらついていた。
【００１１】
【特許文献１】特開平２００２−３９５５２号公報
【発明の開示】
【発明が解決しようとする課題】
【００１２】
本発明は上記のような技術的課題に鑑みてなされたものであり、その目的とするところは、複数の床暖房装置を備えた床暖房システムにおいて、各床暖房装置の放熱特性の違いや、配管長の違いなどに起因するホットダッシュ運転のバラツキを小さくすることにある。
【課題を解決するための手段】
【００１３】
本発明にかかる第１の床暖房システムは、熱源機に複数の床暖房装置を接続され、暖房運転開始時には各床暖房装置に通常運転時よりも高温の熱媒を循環させてホットダッシュ運転を行なう床暖房システムにおいて、各床暖房装置の放熱特性に応じて各床暖房装置のホットダッシュ運転時間が決定され、各床暖房装置がホットダッシュ運転を開始した後、ホットダッシュ運転時間が経過した床暖房装置のホットダッシュ運転を順次終了させる制御手段を有するものである。本発明においては、床暖房装置には、床暖房パネルや床暖房マットなどが含まれる。また、本発明においては、床暖房装置の放熱特性とは、熱媒によって床表面を加熱する効率を表わすものである。
【００１４】
本発明にかかる第１の床暖房システムにあっては、放熱特性の高い床暖房装置には短いホットダッシュ運転時間を割り当て、放熱特性の低い床暖房装置には長いホットダッシュ運転時間を割り当てることにより、放熱特性の異なる床暖房装置が組み合わされている場合でも、各床暖房装置の放熱特性に応じて適切な時間ホットダッシュ運転を行なわせることができ、ホットダッシュ運転後の各床暖房装置の床表面温度を均等にすることができ、床暖房装置の快適度が向上する。
【００１５】
本発明にかかる第２の床暖房システムは、熱源機に複数の床暖房装置を接続され、暖房運転開始時には各床暖房装置に通常運転時よりも高温の熱媒を循環させてホットダッシュ運転を行なう床暖房システムにおいて、各床暖房装置の温度を検知する温度検知手段と、前記温度検知手段の検知温度に基づいて各床暖房装置の温度上昇速度を求め、各床暖房装置の温度上昇速度に応じて各床暖房装置のホットダッシュ運転時間を決定する手段と、各床暖房装置がホットダッシュ運転を開始した後、ホットダッシュ運転時間が経過した床暖房装置のホットダッシュ運転を順次終了させる制御手段とを備えたものである。本発明においては、床暖房装置の温度を検知する温度検知手段は、床暖房装置の床表面温度を検出するように設置したり、床暖房装置から流出する熱媒の温度を検出するように設置するのが好ましい。
【００１６】
ホットダッシュ運転時における温度上昇速度が大きな床暖房装置は、放熱特性が大きく、又、温度上昇速度が小さな床暖房装置は、放熱特性が小さいと考えられる。従って、本発明にかかる第２の床暖房システムにあっては、温度上昇速度が大きい床暖房装置には短いホットダッシュ運転時間を割り当て、温度上昇速度が小さい床暖房装置には長いホットダッシュ運転時間を割り当てることにより、放熱特性の異なる床暖房装置が組み合わされている場合でも適切なホットダッシュ運転時間を割り当てることができ、ホットダッシュ運転後の各床暖房装置の床表面温度を均等にすることができ、床暖房装置の快適度が向上する。
【００１７】
本発明にかかる第３の床暖房システムは、熱源機に複数の床暖房装置を接続され、暖房運転開始時には各床暖房装置に通常運転時よりも高温の熱媒を循環させてホットダッシュ運転を行なう床暖房システムにおいて、各床暖房装置への熱媒流入温度を検知する温度検知手段と、前記温度検知手段の検知温度が一定温度を超えたときに各床暖房装置のホットダッシュ運転時間の計測を開始し、所定のホットダッシュ運転時間が経過した床暖房装置のホットダッシュ運転を順次終了させる制御手段とを備えたものである。本発明においては、床暖房装置への熱媒流入温度を検知する温度検知手段は、床暖房装置へ流入する熱媒の温度を検出するように設置したり、床暖房装置の床表面温度を検出するように設置するのが好ましい。
【００１８】
本発明にかかる第３の床暖房システムにあっては、温度検知手段で検知されている床暖房装置への熱媒流入温度が一定温度を超えたときに各床暖房装置のホットダッシュ運転時間の計測を開始している。すなわち、床暖房装置につながっている配管中の低温の熱媒が床暖房装置を通過してホットダッシュ運転用の高温の熱媒が床暖房装置に到達したときからホットダッシュ運転時間を計測することができる。よって、床暖房装置につながっている配管の長さに影響されることなく正確にホットダッシュ運転時間を計測することができる。また、各床暖房装置につながっている配管長の違いによって床暖房装置毎にホットダッシュ運転にばらつきが生じるのを防止することができる。
【００１９】
本発明にかかる第４の床暖房システムは、熱源機に複数の床暖房装置を接続され、暖房運転開始時には各床暖房装置に通常運転時よりも高温の熱媒を循環させてホットダッシュ運転を行なう床暖房システムにおいて、各床暖房装置への熱媒流入温度を検知する温度検知手段と、前記温度検知手段の検知温度に基づいて各床暖房装置の熱媒流入温度の温度上昇速度を求める手段と、前記床暖房装置の熱媒流入温度の温度上昇速度が一定値を超えたときに各床暖房装置のホットダッシュ運転時間の計測を開始し、所定のホットダッシュ運転時間が経過した床暖房装置のホットダッシュ運転を順次終了させる制御手段とを備えたものである。
【００２０】
本発明にかかる第４の床暖房システムにあっては、温度検知手段で検知されている床暖房装置への熱媒流入温度から求めた熱媒流入温度の温度上昇速度が一定値を超えたときに各床暖房装置のホットダッシュ運転時間の計測を開始している。すなわち、床暖房装置につながっている配管中の低温の熱媒が床暖房装置を通過してホットダッシュ運転用の高温の熱媒が床暖房装置に到達したときからホットダッシュ運転時間を計測することができる。よって、床暖房装置につながっている配管の長さに影響されることなく正確にホットダッシュ運転時間を計測することができる。また、各床暖房装置につながっている配管長の違いによって床暖房装置毎にホットダッシュ運転にばらつきが生じるのを防止することができる。
【００２１】
本発明にかかる第５の床暖房システムは、熱源機に複数の床暖房装置を接続され、暖房運転開始時には各床暖房装置に通常運転時よりも高温の熱媒を循環させてホットダッシュ運転を行なう床暖房システムにおいて、各床暖房装置の温度を検知する温度検知手段と、各床暖房装置がホットダッシュ運転を開始した後、前記温度検知手段の検知温度が一定温度を超えた床暖房装置のホットダッシュ運転を順次終了させる制御手段とを備えたものである。
【００２２】
本発明にかかる第５の床暖房システムは、床暖房装置の温度を検知する温度検知手段の検知温度が一定温度を超えると、その床暖房装置のホットダッシュ運転を順次終了させている。即ち、この床暖房システムによれば、床暖房装置が、ホットダッシュ運転の目的とする状態に達したことを検知してホットダッシュ運転を終了している。よって、この床暖房システムによれば、各床暖房装置の放熱特性の違いや、接続されている配管の長さの違いに関係なく、ホットダッシュ運転後の各床暖房装置の床表面温度を均等にすることができる。
【００２３】
本発明にかかる第６の床暖房システムは、熱源機に複数の床暖房装置を接続され、暖房運転開始時には各床暖房装置に通常運転時よりも高温の熱媒を循環させてホットダッシュ運転を行なう床暖房システムにおいて、各床暖房装置の温度を検知する温度検知手段と、前記温度検知手段の検知温度に基づいて各床暖房装置の温度上昇速度を求める手段と、各床暖房装置がホットダッシュ運転を開始した後、前記床暖房装置の温度上昇速度が一定値を超えた床暖房装置のホットダッシュ運転を順次終了させる制御手段とを備えたものである。
【００２４】
本発明にかかる第６の床暖房システムは、床暖房装置の温度を検知する温度検知手段の検知温度に基づいて求められた温度上昇速度が一定値を超えると、その床暖房装置のホットダッシュ運転を順次終了させている。即ち、この床暖房システムによれば、床暖房装置が、ホットダッシュ運転の目的とする状態に達したことを検知してホットダッシュ運転を終了している。よって、この床暖房システムによれば、各床暖房装置の放熱特性の違いや、接続されている配管の長さの違いに関係なく、ホットダッシュ運転後の各床暖房装置の床表面温度を均等にすることができる。
【００２５】
なお、本発明の以上説明した構成要素は、可能な限り任意に組み合わせることができる。
【発明を実施するための最良の形態】
【００２６】
以下、本発明の実施例を図面に従って詳細に説明する。ただし、本発明は以下の実施例に限定されるべきものでないことは勿論である。
【実施例１】
【００２７】
図２は本発明にかかる床暖房システムを示す概略構成図である。この床暖房システムは、熱源機１１、複数台の床暖房ユニット１２、１３、循環水制御部１４によって構成されている。床暖房ユニット（請求項でいう床暖房装置）とは、床暖房パネルや床暖房マットなど床部に設置される暖房用部材の総称であって、ここでは２台の床暖房ユニット１２、１３を示し、いずれも暖房用の熱媒として温水を用いるものを例にとって説明する。床暖房ユニット１２は、放熱特性の低い床暖房ユニット（例えば、温度が６０℃の暖房温水を連続供給したときに床表面温度が設定温度３０℃になるもの）であり、床暖房ユニット１３は、放熱特性の高い床暖房ユニット（例えば、温度が５０℃の暖房温水を連続供給したときに床表面温度が設定温度３０℃になるもの）である。
【００２８】
熱源機１１は、膨張タンク１５、循環ポンプ１６、熱交換器１７及びガスバーナー１８からなり、膨張タンク１５、循環ポンプ１６及び熱交換器１７は、暖房温水配管１９によって接続されている。この熱源機１１は、床暖房ユニット１２、１３から放熱後の冷水を回収し、その冷水を加熱して再び床暖房ユニット１２、１３に循環させるものである。すなわち、床暖房ユニット１２、１３で放熱して暖房温水配管１９の暖房温水戻り配管１９ｂから戻ってきた冷水は、膨張タンク１５内に回収される。膨張タンク１５内の冷水は、循環水の蒸発などによって水位が下がってきた場合には、水道から補給される。循環ポンプ１６が運転されると、膨張タンク１５内の冷水は熱交換器１７を通過し、熱交換器１７においてガスバーナー１８で加熱され、加熱された高温の暖房温水は暖房温水配管１９の暖房温水往き配管１９ａを通って床暖房ユニット１２、１３側へ送られる。
【００２９】
循環水制御部１４においては、暖房温水配管１９の暖房温水往き配管１９ａから複数本の分岐配管２０、２１を分岐させ、一方の分岐配管２０に流量制御弁２２と開閉弁２４を直列に接続し、他方の分岐配管２１に流量制御弁２３と開閉弁２５を直列に接続している。また、両分岐配管２０、２１と暖房温水戻り管１９ｂとの間の合流配管２６には環流ポンプ２７を設けている。
【００３０】
また、分岐配管２０においては流量制御弁２２と開閉弁２４との中間から循環往き管２８ａが分岐され、循環往き管２８ａは放熱特性の低い床暖房ユニット１２の温水流入口に接続され、床暖房ユニット１２の温水流出口に接続された循環戻り管２８ｂの他端は暖房温水戻り配管１９ｂにつながっている。同様に、分岐配管２１においては流量制御弁２３と開閉弁２５との中間から循環往き管２９ａが分岐され、循環往き管２９ａは放熱特性の高い床暖房ユニット１３の温水流入口に接続され、床暖房ユニット１３の温水流出口に接続された循環戻り管２９ｂの他端は暖房温水戻り配管１９ｂにつながっている。
【００３１】
図２において符号３１で表わされているものは、必要に応じて設置される室内暖房用のファンコンベクタである。ファンコンベクタ３１には、暖房温水往き配管１９ａから分岐された往き配管３０ａと暖房温水戻り配管１９ｂにつながった戻り配管３０ｂが接続されており、往き配管３０ａには開閉弁３２が設けられている。
【００３２】
さらに、この床暖房システムは、マイクロコンピュ−タを内蔵した制御装置３３を備えており、制御装置３３は、予め記憶装置内に記憶させられているプログラムに従って循環ポンプ１６、流量制御弁２２、２３、開閉弁２４、２５、環流ポンプ２７、開閉弁３２等を制御することにより床暖房システムを運転する。
【００３３】
図３は運転開始時における、制御装置３３による床暖房システムの制御状態を示すタイムチャートである。図３（ａ）は循環ポンプ１６の運転状態を示し、図３（ｂ）は環流ポンプ２７の運転状態を示し、図３（ｃ）は開閉弁２５の開閉状態を示し、図３（ｄ）は流量制御弁２３の制御状態を示し、図３（ｅ）は開閉弁２４の開閉状態を示し、図３（ｆ）は流量制御弁２２の制御状態を示す。床暖房システムの運転停止時には、循環ポンプ１６及び環流ポンプ２７は運転を停止し、流量制御弁２２、２３及び開閉弁２４、２５は閉じている。
【００３４】
床暖房システムが運転を開始すると、まず循環ポンプ１６及び環流ポンプ２７が運転を開始し、開閉弁２４及び２５を閉じたままで、流量制御弁２２及び２３が全開にされる。ついで、暖房温水配管１９における通水が確認された後、ガスバーナー１８が燃焼開始される。この暖房運転開始時には、床暖房システムは、ホットダッシュ運転を行なう。すなわち、この状態では熱交換器１７から暖房温水往き配管１９ａに例えば８０℃の高温の暖房温水が供給される。開閉弁２４、２５が閉じており、流量制御弁２２、２３が開いているので、床暖房システムには、図２に実線矢印で示したように暖房温水が流れる。
【００３５】
図２を参照して説明すると、このとき暖房温水往き配管１９ａに流れている湯温８０℃の暖房温水は分岐配管２０及び２１に分かれて流れる。分岐配管２０に流れた湯温８０℃の暖房温水は、循環往き管２８ａ及び循環戻り管２８ｂを通って床暖房ユニット１２内を循環し、床暖房ユニット１２を急速に加熱する。同様に、分岐配管２１に流れた湯温８０℃の暖房温水は、循環往き管２９ａ及び循環戻り管２９ｂを通って床暖房ユニット１３内を循環し、床暖房ユニット１３を急速に加熱する。
【００３６】
床暖房ユニット１３は、床暖房ユニット１２よりも放熱効率が高いので、両床暖房ユニット１３、１２に同じ湯温の暖房温水が循環していても、床暖房ユニット１３の床表面温度は床暖房ユニット１２の床表面温度よりも急速に温度上昇する。いま、湯温８０℃の暖房温水が循環しているとき、放熱効率の高い床暖房ユニット１３では、その床表面温度が、時間Ｔｈ１で通常運転時における床表面温度近傍の所定温度Ｇoに達し、放熱効率の低い床暖房ユニット１２では、その床表面温度が、時間Ｔｈ２（＞Ｔｈ１）で通常運転時における床表面温度近傍の所定温度Ｇoに達するものとする。これらのホットダッシュ運転時間Ｔｈ１、Ｔｈ２は予め実験的に定めておくことができる。
【００３７】
制御装置３３は、タイマー機能によって運転開始後の時間を計測し、放熱特性が高い場合のホットダッシュ運転時間Ｔｈ１が経過すると、図３（ｃ）に示すように開閉弁２５を開く。床暖房ユニット１２、１３から暖房温水戻り配管１９ｂに流出する暖房温水は、床暖房ユニット１２、１３で放熱して低温の暖房温水となっているので、開閉弁２５を開くと環流ポンプ２７によって循環往き管２９ａに低温の暖房温水が流れ込んで床暖房ユニット１３に流入する暖房温水の温度が下がる。同時に、図３（ｄ）に示すように流量制御弁２３の弁が絞られて循環往き管２９ａから床暖房ユニット１３に流入する温水温度が５０℃となるように調整され、床暖房ユニット１３は通常の暖房運転状態となって床表面温度が設定温度の３０℃に維持される。このとき、床暖房ユニット１３から循環戻り管２９ｂには、４０℃の暖房温水が流出する。
【００３８】
さらに、放熱特性が低い場合のホットダッシュ運転時間Ｔｈ２が経過すると、図３（ｅ）に示すように開閉弁２４を開く。開閉弁２４を開くと環流ポンプ２７によって循環往き管２８ａにも低温の暖房温水が流れ込んで床暖房ユニット１２に流入する暖房温水の温度が下がる。そして、図３（ｆ）に示すように流量制御弁２２の弁が絞られて循環往き管２８ａから床暖房ユニット１２に流入する温水温度が６０℃となるように調整され、床暖房ユニット１２も通常の暖房運転状態となって床表面温度が設定温度の３０℃に維持される。このとき、床暖房ユニット１３から循環戻り管２９ｂには、５０℃の暖房温水が流出する。
【００３９】
よって、この床暖房システムによれば、床暖房ユニット１２、１３のそれぞれの床表面温度Ｇは図４に示すように変化する。図４では横軸が運転開始後の経過時間Ｔを表し、縦軸が床暖房ユニットの床表面温度Ｇを示し、曲線Ｃ１は床暖房ユニット１３の床表面温度の変化を表し、曲線Ｃ２は床暖房ユニット１２の床表面温度の変化を表している。
【００４０】
従来のように放熱温度特性の異なる床暖房ユニット１２、１３を同じ時間Ｔｈだけホットダッシュ運転すると、図１で示したように放熱特性の高い床暖房ユニットの床表面温度が高くなり過ぎて不快感を与える。これに対し、本実施例の床暖房システムでは、それぞれの床暖房ユニット１２、１３の放熱特性に応じた時間Ｔｈ２、Ｔｈ１だけホットダッシュ運転を行なうようにしているので、いずれの床暖房ユニット１２、１３もホットダッシュ運転によって同様な床表面温度となり、使用感が良好となる。
【００４１】
なお、一方の床暖房ユニット１２だけが使用される場合には、環流ポンプ２７を停止し、流量制御弁２２のみを開いておけばよい。
【００４２】
また、ファンコンベクタ３１を使用する場合には、開閉弁３２を開けばよい。開閉弁３２を開くと、往き配管３０ａ及び戻り配管３０ｂを通ってファンコンベクタ３１に高温（８０℃）の暖房温水が流れ、暖房温水と熱交換した温風が室内に吹き出される。
【実施例２】
【００４３】
図５は本発明の別な実施例による床暖房システムの構成を示す図である。この実施例においては、床暖房ユニット１２にその床表面温度Ｇを計測するための温度センサ３４を設け、床暖房ユニット１３にもその床表面温度Ｇを計測するための温度センサ３５を設けている。
【００４４】
しかして、この実施例においては、暖房運転開始直後に、温度センサ３４、３５によって一定時間ΔＴの間における床表面温度の変化ΔＧを計測し、床表面温度の温度上昇速度ΔＧ／ΔＴの大きさから放熱特性の大きな床暖房ユニットであるか、放熱特性の小さな床暖房ユニットであるかを判断する。
【００４５】
図６に示すように、床表面温度の温度上昇速度ΔＧ１／ΔＴが大きい場合（曲線Ｃ１）には、その床暖房ユニットは放熱特性の大きな床暖房ユニット１３であると判定し、短いホットダッシュ運転時間Ｔｈ１を適用する。また、床表面温度の温度上昇速度ΔＧ２／ΔＴが小さい場合（曲線Ｃ２）には、その床暖房ユニットは放熱特性の小さな床暖房ユニット１２であると判定し、長いホットダッシュ運転時間Ｔｈ２を適用する。
【００４６】
この実施例によれば、温度センサ３４、３５で計測される床表面温度の温度上昇速度から床暖房ユニットの放熱特性を判断することができるので、予め制御装置に各床暖房ユニットの種類を登録する手間を省くことができる。
【００４７】
なお、この実施例では、温度センサ３４、３５を設ける位置は、循環戻り管２８ｂ、２９ｂであってもよい。
【実施例３】
【００４８】
この実施例における床暖房システムの構成は、図５に示したものと同じであるので図示を省略する。よって、この実施例の床暖房システムでも、温度センサ３４、３５によって各床暖房ユニット１２、１３の床面温度Ｇを検知している。図７は、床暖房ユニット１２、１３の床表面温度Ｇの時間的変化を表しており、床表面温度Ｇoは、通常の暖房運転時における床表面温度の近傍の値である。
【００４９】
この実施例では、各床暖房ユニット１２、１３の床表面温度Ｇを温度センサ３４、３５によって検知しており、床暖房ユニット１２、１３の床表面温度Ｇが所定温度Ｇoを超えたら、その床暖房ユニットのホットダッシュ運転を終了している。図６では、放熱特性の大きな床暖房ユニット１３の場合（曲線Ｃ１）には、時間Ｔ１にホットダッシュ運転を終了し、放熱特性の小さな床暖房ユニット１２の場合（曲線Ｃ２）には、時間Ｔ２にホットダッシュ運転を終了する。
【００５０】
このような実施例によれば、床暖房ユニットの放熱特性の違いや配管長の違いなどに関係なく、各床暖房ユニットを一様な床表面温度となるようにホットダッシュ運転することができる。
【００５１】
図８は実施例３の変形例を説明する図である。上記実施例３では、温度センサ３４、３５の検知温度が所定温度Ｇoに達したときに、ホットダッシュ運転を停止したが、図８に示すように、温度センサの検知している床表面温度Ｇの温度上昇速度が所定の値αになったとき（図８における時間Ｔ５）に、その床暖房ユニットのホットダッシュ運転を終了するようにしてもよい。
【実施例４】
【００５２】
図９は本発明のさらに別な実施例による床暖房システムの構成を示す図である。この実施例にあっては、同じ放熱特性の床暖房ユニット１２ａ、１２ｂを用いており、一方の床暖房ユニット１２ａの温水流入口近傍において循環往き管２８ａに温度センサ３６を設け、他方の床暖房ユニット１２ｂの温水流入口近傍において循環往き管２９ａに温度センサ３７を設けている。施工した状態において床暖房ユニット１２ａと床暖房ユニット１２ｂとでは配管長が異なり、熱源機１１から床暖房ユニット１２ａまでの配管長が短く、また、熱源機１１から床暖房ユニット１２ｂまでの配管長が長くなっているものとする。
【００５３】
このような場合には、床暖房システムのホットダッシュ運転開始時に、床暖房ユニット１２ａと床暖房ユニット１２ｂとでは、熱源機１１から高温（８０℃）の暖房温水が到達するまでの時間が異なり、配管長の長い床暖房ユニット１２ｂでは床暖房ユニット１２ａより遅れて床表面温度が上昇し始める。よって、従来のように床暖房ユニット１２ａと床暖房ユニット１２ｂのホットダッシュ運転を同時に終了すると、実質的には、床暖房ユニット１２ａと床暖房ユニット１２ｂでホットダッシュ運転の時間が異なってしまい、床暖房ユニット１２ｂの床表面温度がホットダッシュ運転によって十分に上昇しない恐れがある。
【００５４】
そのためこの実施例では、ホットダッシュ運転時に、温度センサ３６により床暖房ユニット１２ａに流入する暖房温水の流入温度Ｌを監視すると共に温度センサ３７により床暖房ユニット１２ｂに流入する暖房温水の流入温度Ｌを監視し、温度センサ３６、３７で検知している温水流入温度Ｌが所定温度Ｌoに達したときを基準としてホットダッシュ運転時間Ｔｈの計測を開始する。所定温度Ｌoは、常温（非運転時）での水の温度よりも少し高い目の値に設定されている。
【００５５】
図１０は本実施例において、床暖房ユニット１２ａへの温水流入温度Ｌ（温度センサ３６の検知温度）の時間変化（曲線Ｃ５）と、床暖房ユニット１２ｂへの温水流入温度Ｌ（温度センサ３７の検知温度）の時間変化（曲線Ｃ６）と、床暖房ユニット１２ａの床表面温度Ｇの時間変化（曲線Ｃ３）と、床暖房ユニット１２ｂの床表面温度Ｇの時間変化（曲線Ｃ４）とを示している。この場合について説明すると、床暖房ユニット１２ａは床暖房ユニット１２ｂよりも配管長が短いので、温度センサ３６の検知温度は温度センサ３７の検知温度よりも早く温度が上昇し、時間Ｔ３に温度センサ３６の検知温度ＬがＬoになると、制御装置３３はそのタイマー機能を用いて床暖房ユニット１２ａのホットダッシュ運転時間を計測開始する。ついで、温度センサ３６に遅れて時刻Ｔ４に、温度センサ３７の検知温度ＬがＬoになると、制御装置３３は床暖房ユニット１２ｂのホットダッシュ運転時間を計測開始する。そして、時刻Ｔ３から計測を開始した床暖房ユニット１２ａのホットダッシュ運転時間がＴｈになると、制御装置３３は床暖房ユニット１２ａのホットダッシュ運転を終了する。また、時刻Ｔ４から計測を開始した床暖房ユニット１２ｂのホットダッシュ運転時間がＴｈになると、制御装置３３は床暖房ユニット１２ｂのホットダッシュ運転を終了する。
【００５６】
したがって、この実施例によれば、各床暖房ユニットの入水温度が上がり始めてからホットダッシュ運転時間を計測し、同じホットダッシュ運転時間Ｔｈ（床暖房ユニットの放熱特性が異なる場合には、各ホットダッシュ運転時間が異なっていてもよい。）だけホットダッシュ運転を行なうので、配管長の長い短いに関わりなく、各床暖房ユニットを一様に加熱することができる。
【００５７】
なお、上記実施例では、温度センサ３６、３７は循環往き管２８ａ、２９ａに設けたが、床暖房ユニット１２ａ、１２ｂの内部や循環戻り管２８ｂ、２９ｂに設けても差し支えない。
【００５８】
また、上記実施例においては、温度センサ３６、３７の検知温度（温水流入温度）Ｌが所定温度Ｌoに達したときにホットダッシュ運転時間のカウントを開始したが、図１１に示すように、温度センサ３６、３７の検知温度（温水流入温度）Ｌの温度上昇速度（曲線Ｃ５、Ｃ６の傾き）Ｋが一定値Ｋoになったときに、ホットダッシュ運転時間のカウントを開始するようにしてもよい。
【図面の簡単な説明】
【００５９】
【図１】従来の床暖房システムにおいて、放熱特性の異なる床暖房ユニットの床表面温度の変化を表わした図である。
【図２】本発明の実施例１による床暖房システムを示す概略構成図である。
【図３】（ａ）は循環ポンプの運転状態を示すタイムチャート、（ｂ）は環流ポンプの運転状態を示すタイムチャート、（ｃ）及び（ｅ）は開閉弁の開閉状態を示すタイムチャート、（ｄ）及び（ｆ）は流量調整弁の制御状態を示すタイムチャートである。
【図４】実施例１の場合における、床暖房ユニットの床表面温度の変化とホットダッシュ運転時間とを示す図である。
【図５】本発明の実施例２による床暖房システムを示す概略構成図である。
【図６】実施例２の場合における、床暖房ユニットの床表面温度の変化とホットダッシュ運転時間とを示す図である。
【図７】実施例３の場合における、床暖房ユニットの床表面温度の変化とホットダッシュ運転の終了時とを示す図である。
【図８】実施例３の変形例を説明するための図である。
【図９】本発明の実施例４による床暖房システムを示す概略構成図である。
【図１０】実施例４の場合における、床暖房ユニットへの温水流入温度の変化と床暖房ユニットの床表面温度の変化とを示す図である。
【図１１】実施例４の変形例の場合における、床暖房ユニットへの温水流入温度の変化と床暖房ユニットの床表面温度の変化とを示す図である。
【符号の説明】
【００６０】
１１  熱源機
１２、１３  床暖房ユニット
１２ａ、１２ｂ  床暖房ユニット
１４  循環水制御部
１５  膨張タンク
１６  循環ポンプ
１７  熱交換器
１９  暖房温水配管
１９ａ  暖房温水往き配管
１９ｂ  暖房温水戻り配管
２２  流量制御弁
２３  流量制御弁
２４  開閉弁
２５  開閉弁
２７  環流ポンプ
２８ａ  循環往き管
２８ｂ  循環戻り管
２９ａ  循環往き管
２９ｂ  循環戻り管
３１  ファンコンベクタ
３３  制御装置
３４  温度センサ
３５  温度センサ
３６  温度センサ
３７  温度センサ
【図１】
2006017408.tif 000003
【図２】
2006017408.tif 000004
【図３】
2006017408.tif 000005
【図４】
2006017408.tif 000006
【図５】
2006017408.tif 000007
【図６】
2006017408.tif 000008
【図７】
2006017408.tif 000009
【図８】
2006017408.tif 000010
【図９】
2006017408.tif 000011
【図１０】
2006017408.tif 000012
【図１１】
2006017408.tif 000013